(57)【特許請求の範囲】
【請求項１】
背面に表示部を有した第１の筐体と、第１の筐体に回動可能に連結されて第１の筐体に対して開閉可能とされた第２の筐体とからなり、第２の筐体を閉じた状態で前記表示部が露出する携帯電話機において、
閉じた状態の第２の筐体が所定時間内に開閉されると、前記表示部の照明を点灯することを特徴とする携帯電話機。
【請求項２】
第１の筐体と、第１の筐体に回動可能に連結されて第１の筐体に対して開閉可能とされた第２の筐体とからなる携帯電話機において、
閉じた状態の第２の筐体が所定時間内に開閉されると、情報を音声出力することを特徴とする携帯電話機。
【請求項３】
前記第１及び第２の筐体の開閉は、第１又は第２の筐体に設けられた開閉検出部により検出することを特徴とする請求項１又は２記載の携帯電話機。
【発明の詳細な説明】
【０００１】
【発明の属する技術分野】
本発明は、折り畳み式の携帯電話機に関するものである。
【０００２】
【従来の技術】
従来、携帯電話機の一形態として、折り畳んだ状態で露出する背面液晶画面を有した携帯電話機がある。図６に折り畳んだ状態の携帯電話機７０の平面図を示す。この携帯電話機７０は、通常、折り畳んだ状態で携帯され、現在時刻、着信、電子メールの受信等を背面液晶画面１５に表示する。この背面液晶画面１５の表示により筐体１１を開くことなく最低限の情報を知ることができる。また、背面液晶画面１５には、暗い場所でも表示内容を視認できるように照明（不図示）が設けられている。この照明は消費電力節約のため筐体１１に設けられた照明スイッチ７１を押下することで点灯するようになっており、通常は消灯している。
【０００３】
一方、背面液晶画面を有しない折り畳み式の携帯電話機もあり、この携帯電話機においては、筐体を開いてメイン液晶画面で情報を確認する必要があった。
【０００４】
【発明が解決しようとする課題】
しかしながら、上記の照明スイッチ７１を有した携帯電話機７０は携帯時に鞄の中等でその照明スイッチ７１が押下された状態になり照明が点灯し続け、バッテリーを消耗することがある。また、筐体１１の外面にスイッチを設けることはコストアップ、携帯電話機の小型化の妨げ、デザインの制限等にもなり得る。
【０００５】
また、上記の背面液晶画面を有しない折り畳み式の携帯電話機で筐体を開いて情報を確認する動作は非常に手間が掛かり煩わしいものであった。
【０００６】
本発明は、筐体の外面に照明スイッチを設けず、照明スイッチを押下するのと同等に簡単な操作で暗い場所でも情報を確認することができる携帯電話機を提供することを目的とする。
【０００７】
【課題を解決するための手段】
上記目的を達成するために本発明は、背面に表示部を有した第１の筐体と、第１の筐体に回動可能に連結されて第１の筐体に対して開閉可能とされた第２の筐体とからなり、第２の筐体を閉じた状態で前記表示部が露出する携帯電話機において、
閉じた状態の第２の筐体が所定時間内に開閉されると、前記表示部の照明を点灯することを特徴とする。
【０００８】
この構成によると、夜間や暗い場所でも筐体の間に指を入れる等の簡単な操作で、表示部の照明が点灯するので背面の表示部に表示された情報を視認することができる。
【０００９】
また本発明は、第１の筐体と、第１の筐体に回動可能に連結されて第１の筐体に対して開閉可能とされた第２の筐体とからなる携帯電話機において、
閉じた状態の第２の筐体が所定時間内に開閉されると、情報を音声出力することを特徴とする。
【００１０】
この構成によると、夜間や暗い場所でも筐体の間に指を入れる等の簡単な操作で、情報が音声出力されるのでユーザは情報を知ることができる。また、背面液晶画面を有しない携帯電話機では、筐体を開いてメイン液晶画面で情報を確認する必要がないため使い勝手がよい。
【００１１】
上記の携帯電話機において、前記第１及び第２の筐体の開閉は、第１又は第２の筐体に設けられた開閉検出部により検出することができる。
【００１２】
【発明の実施の形態】
以下に本発明の実施形態について図面を参照して説明する。なお、従来例と同様の構成部分には同一の符号を付してその詳細な説明を省略する。
【００１３】
図１は、折り畳み式の携帯電話機を開いた状態の外観斜視図である。携帯電話機１０は、第１の筐体１１と、第１の筐体１１の下端部にヒンジ１２により回動可能に連結された第２の筐体１３とからなり、第２の筐体１３は第１の筐体１１に対して開閉可能とされ、携帯電話機１０は２つに折り畳むことができる。図２に、折り畳んだ状態の携帯電話機１０の平面図を示す。
【００１４】
図１及び図２に示されるように、第１の筐体１１には、折り畳んだときに内側になる面に情報を表示するメイン液晶画面１４と、折り畳んだときに外側になる面に情報を表示する背面液晶画面１５と、背面液晶画面１５の上部にスピーカ１６と、メイン液晶画面１４の下部に後述の開閉検出スイッチ１９を押下する突起部１７と、上端部にアンテナ１８とが設けられている。なお、メイン液晶画面１４及び背面液晶画面１５の背面には、バックライトとなる照明（不図示）がそれぞれ配設されている。また、第２の筐体１３には、折り畳んだ状態で突起部１７に押下される開閉検出スイッチ（開閉検出部）１９と、ダイヤル操作等を行う各種キーからなる操作部２０とが設けられている。なお、背面液晶画面１５に表示される情報は、現在時刻、着信、電子メールの受信等の情報であり、それらの情報を確認できる文字や図柄を指す。
【００１５】
この携帯電話機１０において、折り畳んだ状態（図２の状態）では、突起部１７が開閉検出スイッチ１９を押下した状態となり、筐体の閉状態が検出される。一方、第２の筐体１３を回動させ、開いた状態（図1の状態）では、突起部１７が開閉検出スイッチ１９から離れ、筐体の開状態が検出される。
【００１６】
図３は、携帯電話機１０の構成を示すブロック図である。携帯電話機１０は、携帯電話機１０全体の動作を制御する制御部３０と、アンテナ１８と、アンテナ１８に接続され発信／着信を行う無線部３１と、操作部２０と、開閉検出スイッチ１９と、メイン液晶画面１４と、背面液晶画面１５と、メイン液晶画面１４及び背面液晶画面１５の表示内容を制御する表示制御部３２と、メイン液晶画面用照明３３と、背面液晶画面用照明３４と、メイン液晶画面用照明３３及び背面液晶画面用照明３４の点灯／消灯を制御する照明制御部３５と、背面液晶画面１５の表示内容に対応する音声データを記録したメモリ３６と、メモリ３６の音声データを読み出して出力用の音声を合成する音声合成部３７と、音声合成部３７からの音声を増幅する増幅部３８と、増幅器３８で増幅された音声を出力するスピーカ１６と、開閉検出スイッチ１９が検出する開閉時間を計測するタイマ部３９とから構成される。
【００１７】
次に、情報を確認するときの携帯電話機１０の動作について説明する。図４は、携帯電話機１０の動作を示すフローチャートである。ステップＳ４０において、携帯電話機１０が折り畳まれた状態で着信や操作の待ち受け中に、ユーザにより筐体が開閉されると、ステップＳ４１へ進んで制御部３０は開閉検出スイッチ１９が開状態を検出したか否かを判断する。ステップＳ４１において開状態が検出されないとき、即ち筐体の開閉がわずかであり検出不可能であるときは、ステップＳ４０に戻り待ち受け状態を続ける。
【００１８】
一方、ステップＳ４１において開状態が検出されたときは、ステップＳ４２へ進んでタイマ部３９が開状態の時間を計測する。ステップＳ４２からステップＳ４３へ進んで開状態の時間が所定最短時間Ａを超えているか否かを判断する。ステップＳ４３において所定最短時間Ａを超えていないときは、ユーザが開閉動作を意図していないとみなし、ステップＳ４０に戻り待ち受け状態を続ける。なお、所定最短時間Ａは、ユーザが筐体を一瞬開く時間を開状態とみなす必要があるため、ほぼ零に近い値とすることが望ましい。
【００１９】
一方、ステップＳ４３において所定最短時間Ａを超えているときは、ユーザによる開閉動作とみなし、ステップＳ４４へ進んで開状態の時間が所定最長時間Ｂ未満であるか否かを判断する。ステップＳ４４において所定最長時間Ｂを超えているときは、筐体が開かれたままの状態であると判断し、ステップＳ４５へ進んで、表示制御部３２はメイン液晶画面１４をオン状態にし、照明制御部３５はメイン液晶画面用照明３３を点灯させる。次にステップＳ４５からステップＳ４６へ進んで開閉検出スイッチ１９が閉状態を検出したか否かを判断する。ステップＳ４６において閉状態が検出されたとき、即ち携帯電話機１０が再び折り畳まれたときは、ステップＳ４７へ進んでメイン液晶画面１４をオフ状態にし、メイン液晶画面用照明３３を消灯する。しかる後、ステップＳ４０に戻り待ち受け状態とする。
【００２０】
一方、ステップＳ４６において閉状態が検出されないとき、即ち筐体が開かれたままの状態であるときは、ステップＳ４８へ進んでメイン液晶画面用照明３３を点灯してから所定時間経過したか否かを判断する。ステップＳ４８において所定時間経過していなければ、ステップＳ４６に戻る。
【００２１】
一方、ステップＳ４８において所定時間経過していれば、ステップＳ４９へ進んでメイン液晶画面１４はオン状態のままメイン液晶画面用照明３３を消灯し、処理を終了する。なお、ユーザにより予めメイン液晶画面用照明３３の消灯が設定されている場合は、それに従い、ステップＳ４５においてメイン液晶画面用照明３３は点灯させない。
【００２２】
一方、ステップＳ４４において所定最長時間Ｂ未満のとき、即ちユーザによる筐体の開閉動作が短時間（ＡからＢまで）であったときは、ステップＳ５０へ進んで、背面液晶画面用照明３４を点灯させる。なお、ユーザにより予め背面液晶画面用照明３４の消灯が設定されている場合は、それに従い、背面液晶画面用照明３４は点灯させない。ステップＳ５０からステップＳ５１へ進んで背面液晶画面用照明３４を点灯してから所定時間経過したか否かを判断する。ステップＳ５１において所定時間経過すれば、ステップＳ５２へ進んで背面液晶画面用照明３４を消灯する。しかる後、ステップＳ４０に戻り待ち受け状態とする。
【００２３】
このように、ユーザが筐体を開閉した時間が、予め設定した所定時間内（ＡからＢ）であれば、背面液晶画面用照明３４を所定時間点灯させることにより、夜間や暗い場所でも背面液晶画面１５に表示された情報を視認することができる。また、ユーザが筐体を開けたままの状態にすると、メイン液晶画面１４をオン状態にするとともに、メイン液晶画面用照明３３を所定時間点灯させることにより、夜間や暗い場所でもメイン液晶画面１４を視認することができる。
【００２４】
上記の実施形態において、折り畳んだ状態の携帯電話機１０（図２の状態）を開閉する操作は、図５に示すように指６０、６１を第１の筐体１１と第２の筐体１３の間に入れて抜く動作により簡単に開閉することができる。従って、従来品のように筐体の外部に照明スイッチを設ける必要がなく、コストもかからない。
【００２５】
また、上記の実施形態において、ユーザが筐体を開閉した時間が、予め設定した所定時間内（ＡからＢ）である場合に、背面液晶画面１５に表示されている情報の内容を音声合成部３７で合成し、スピーカ１６から出力するようにしてもよい。これにより、ユーザは背面液晶画面を見ることなく表示内容を知ることができる。この音声の出力は、上記の実施形態の背面液晶画面用照明３４を点灯させる動作と同時に行ってもよいし、背面液晶画面用照明３４を点灯させる替りに行ってもよい。更に、この音声の出力は、背面液晶画面を有しない携帯電話機に適用すると使い勝手がよい。
【００２６】
【発明の効果】
本発明によると、折り畳んだ状態の携帯電話機を所定時間内に開閉すると背面の表示部の照明を点灯させるように構成しているため、夜間や暗い場所でも筐体の間に指を入れる等の簡単な操作で、表示部の照明が点灯するので背面の表示部に表示された情報を視認することができる。
【００２７】
また本発明によると、折り畳んだ状態の携帯電話機を所定時間内に開閉すると情報を音声出力するように構成しているため、夜間や暗い場所でも筐体の間に指を入れる等の簡単な操作で、情報が音声出力されるのでユーザは情報を知ることができる。また、背面液晶画面を有しない携帯電話機に適用すると、筐体を開いてメイン液晶画面で情報を確認する必要がないため使い勝手がよい。
【図面の簡単な説明】
【図１】    本発明の折り畳み式の携帯電話機を開いた状態の外観斜視図である。
【図２】    図1の携帯電話機の折り畳んだ状態の平面図である。
【図３】    本発明の携帯電話機の構成を示すブロック図である。
【図４】    本発明の携帯電話機の動作を示すフローチャートである。
【図５】    図２の携帯電話機を開く操作を説明する図である。
【図６】    従来の携帯電話機の折り畳んだ状態の平面図である。
【符号の説明】
１０    携帯電話機
１１    第１の筐体
１３    第２の筐体
１５    背面液晶画面（表示部）
１９    開閉検出スイッチ（開閉検出部）
【図１】
0003838930.tif 000002
【図２】
0003838930.tif 000003
【図３】
0003838930.tif 000004
【図４】
0003838930.tif 000005
【図５】
0003838930.tif 000006
【図６】
0003838930.tif 000007